(57)【特許請求の範囲】
【請求項１】
内部に電子部品が収容される下ケースの周壁部の上部に、前記周壁部で囲む収容部を覆う上ケースを、当該収容部を囲む枠状の弾性変形自在なパッキンを介して被せて固定してなる医療用電子機器の筐体であって、
前記周壁部の上部は、前記周壁部の外壁面と隣り合う上面を有する外側壁部と、
前記外側壁部よりも前記収容部側に配置されており、前記周壁部の内壁面と隣り合うとともに、前記外側壁部の上面よりも高さの低い上面を有する内側壁部と、前記外側壁部の上面と前記内側壁部の上面との間に形成され、上方に開口する溝部とを備え、
前記パッキンは、
前記内側壁部の上面上に、内側の側辺部を前記内側壁部の上面上から前記収容部側に延び出した状態で前記収容部を囲むように配設される帯状のパッキン本体と、
このパッキン本体の外側辺部の下面から下方に突出して設けられ、前記溝部に挿入される固定脚部とで形成され、
前記上ケースは、前記外側壁部の上面に面接触する縁端部と、
前記内側壁部の上面に対して上方で対向する部分から前記縁端部よりも下方に突出して設けられてなり、前記内側壁部の上面上に配置された前記パッキン本体の部位を押圧して前記上ケースを前記下ケースに固定する押圧突起部とを有し、
前記溝部に挿入された前記固定脚部と、この固定脚部に対向する前記内側壁部の外面と、前記パッキン本体との間には空隙が形成されている、
医療用電子機器の筐体。
【請求項２】
前記内側壁部の外面は下り勾配の傾斜面である、
請求項１記記載の医療用電子機器の筐体。
【請求項３】
前記パッキンの上面は、前記外側壁部の上面よりも低く、前記パッキンにおいて外側壁部側の側辺部の上部には、前記縁端部との間に上部間隙部が形成される、
請求項１又は２記載の医療用電子機器の筐体。
【発明の詳細な説明】
【技術分野】
【０００１】
本発明は、防水性を備え、内部に電子部品が収容される医療用電子機器の筐体に関する。
【背景技術】
【０００２】
従来、被験者の身体に装着しながら、その被験者の心電図情報をデジタル化して長時間にわたって記録するデジタルホルタ心電計の筐体は、ＩＣメモリやＣＰＵなどの電子部品が収容された筐体内部へ水の侵入を防止するため防水処理が施されている。
【０００３】
一般的な防水処理については、例えば、特許文献１に示すように、蓋体が被せられるケース本体における周壁部の上面の全周に溝部を形成し、この溝内に、弾性変形可能なパッキングを挿入して、周壁部の上面から上方に突出させた状態で配設する。そして、パッキングが配設された上面に、パッキン部を押圧する突起部を有する蓋体を被せて、突起部でパッキングを押圧して固定する。突起部により潰れたパッキングを介して周壁部に蓋体が面接触することによって、両者の間を水密状態に保持している。
【特許文献１】特開平１０−３２４３６０号公報
【発明の開示】
【発明が解決しようとする課題】
【０００４】
しかしながら、従来の筐体においては、筐体を組み立てる際に、ケース本体の周壁部の溝部にパッキングを挿入する作業が必要となり、その作業が困難であるという問題がある。
【０００５】
また、上記構成では、蓋体によって、溝部内に配設されたパッキングを潰して変形させることによって周壁部との水密状態を保持する。このため、蓋体を被せて溝部内のパッキングを押し潰す際には、変形して押し潰されたパッキングの体積の逃げる場所が溝部内に限られるため、パッキング自体を変形させるためには大きな力を加える必要があり、組立作業に手間がかかるとともに、この加えた力によってケース本体自体が変形する可能性があった。
【０００６】
本発明はかかる点に鑑みてなされたものであり、防水性を確保しつつ、容易に組み立てることができると共に、ケース本体に蓋体を被せた際にケース本体の歪みを防止できる医療用電子機器の筐体を提供することを目的とする。
【課題を解決するための手段】
【０００７】
本発明の医療用電子機器の筐体は、内部に電子部品が収容される下ケースの周壁部の上部に、前記周壁部で囲む収容部を覆う上ケースを、当該収容部を囲む枠状の弾性変形自在なパッキンを介して被せて固定してなる医療用電子機器の筐体であって、前記周壁部の上部は、前記周壁部の外壁面と隣り合う上面を有する外側壁部と、前記外側壁部よりも前記収容部側に配置されており、前記周壁部の内壁面と隣り合うとともに、前記外側壁部の上面よりも高さの低い上面を有する内側壁部と、前記外側壁部の上面と前記内側壁部の上面との間に形成され、上方に開口する溝部とを備え、前記パッキンは、前記内側壁部の上面上に、内側の側辺部を前記内側壁部の上面上から前記収容部側に延び出した状態で前記収容部を囲むように配設される帯状のパッキン本体と、このパッキン本体の外側辺部の下面から下方に突出して設けられ、前記溝部に挿入される固定脚部とで形成され、前記上ケースは、前記外側壁部の上面に面接触する縁端部と、前記内側壁部の上面に対して上方で対向する部分から前記縁端部よりも下方に突出して設けられてなり、前記内側壁部の上面上に配置された前記パッキン本体の部位を押圧して前記上ケースを前記下ケースに固定する押圧突起部とを有し、前記溝部に挿入された前記固定脚部と、この固定脚部に対向する前記内側壁部の外面と、前記パッキン本体との間には空隙が形成されている構成を採る。
【発明の効果】
【０００８】
本発明によれば、防水性を確保しつつ、容易に組み立てることができると共に、ケース本体に蓋体を被せた際にケース本体の歪みを防止できる。
【発明を実施するための最良の形態】
【０００９】
以下、本発明の実施の形態について、図面を参照して詳細に説明する。
【００１０】
図１は、本発明の一実施の形態に係る医療用電子機器の筐体を説明するための医療用電子機器の筐体を示す分解斜視図である。
【００１１】
図１に示す医療用電子機器は、ここでは、被験者の身体に装着しながら、その被験者の心電図情報をデジタル化して長時間にわたって記録するデジタルホルタ心電計１０である。
【００１２】
デジタルホルタ心電計１０は、収容部１１２内にＩＣメモリやＣＰＵなどの電子部品が収容される箱状のケース本体（下ケース）１１０と、ケース本体１１０の開口縁部に嵌合し、当該ケース本体１１０の開口部を上方から覆う蓋体（上ケース）１２０とを備える筐体１００を備える。
【００１３】
筐体１００では、ケース本体１１０及び蓋体１２０は、パッキン１３０を介して水密状態に保持されている。また、蓋体１２０には、下方に突出する爪部１２１が設けられ、一方、ケース本体１１０には、爪部１２１が係合する係合孔１１１が設けられている。
【００１４】
筐体１００は、ケース本体１１０にパッキン１３０を介して蓋体１２０を嵌合し、爪部を係合孔に係合させることによって、パッキン１３０を押圧した状態でケース本体１１０にはめ殺しにより固定される。なお、ここでは、ケース本体１１０は、爪部及び係合孔を用いたはめ殺しによって蓋体１２０に開口部が覆われるようにしたがこれに限らず、ネジ、ビスなどの止着部材によって蓋体１２０が固定される構成としてもよい。
【００１５】
図２は、医療用電子機器の筐体においてケース本体、パッキン及び蓋体との関係を示す部分拡大断面図である。
【００１６】
図２に示すように、ケース本体１１０において収容部１１２を囲む周壁部１４０の上部は、開口部まわりに全周に渡って設けられた外側壁部１５０、内側壁部１６０及びこれら外側壁部１５０及び内側壁部１６０との間の溝部１７０を備える。
【００１７】
外側壁部１５０の外面１５２は、周壁部１４０の外面を構成し、略水平な上面１５４には、蓋体１２０の縁端部１２２の下面が全面に渡って当接されている。
【００１８】
内側壁部１６０の内壁面１６２は、周壁部１４０の内面を構成し、外側壁部１５０の上面１５４よりも高さが低い略水平な上面１６４を有する。また、内側壁部１６０は、外側壁部１５０に対向して、当該外側壁部１５０よりも内側に離間して配設されており、内側壁部１６０と外側壁部１５０との間に上方に開口する溝部１７０を形成している。
【００１９】
内側壁部１６０は、その上面１６４の高さを、当該上面１６４にパッキン１３０の厚みを加えた高さレベルを、外側壁部１５０の上面１５４の高さレベルよりも低くなるように形成されている。外側の壁面１６６は外側壁部１５０の内面１５６に対向しており、外側壁部１５０の内面１５６とで、溝部１７０の対向する対向壁面を形成している。
【００２０】
この内側壁部１６０における外側の壁面（外面）１６６は、溝部１７０の底板１７２に向かって下り勾配が付けられた傾斜面であり、溝部１７０内に挿入されるパッキン１３０の固定脚部１３２を溝部１７０の底板１７２まで案内する。
【００２１】
この内側壁部１６０の上面１６４の全面には、上方から蓋体１２０により押圧されたパッキン１３０のパッキン本体１３４が布設されている。
【００２２】
パッキン１３０は、弾性変形自在に形成されてなり、弾力性に富み防水機能の良好なシリコーンゴム、クロロプレインゴム、エチレンプロピレンゴム等から、周壁部１４０の上面において開口部周りに配設された枠状をなしている。
【００２３】
枠状をなすパッキン本体１３４は、帯状であり、その外側辺部の下面に、固定脚部１３２が下方に突出して設けられている。
【００２４】
帯状のパッキン本体１３４は、内側壁部１６０上に配設され、上方から蓋体１２０に押圧されることにより内側壁部１６０と蓋体１２０との間を水密にして、内側壁部１６０の内方の収容部への汗などの水の侵入を防止する。
【００２５】
パッキン１３０の外径は、外側壁部１５０の内径と略同じ径であり、パッキン本体１３４の幅は、内側壁部１６０の上面１６４の幅よりも広く、上面１６４において、内側の辺部（張り出し辺部）１３６を内側壁部１６０から収容部側に延び出た状態で配置されている。
【００２６】
内側壁部１６０の上面１６４に略水平に配置されたパッキン本体１３４は、上方から蓋体１２０の押圧突起部１２４によって押圧され、上面１６４から内側に延び出た張り出し辺部１３６に押圧された部分の体積が逃げることで、張り出し辺部１３６は変形した状態となっている。
【００２７】
蓋体１２０は、周壁部１４０の形状に対応して形成され、その周縁部１２６を、周壁部１４０上に配置している。
【００２８】
蓋体１２０の周縁部１２６は、外側壁部１５０の上面１５４に面接触する縁端部１２２と、縁端部１２２よりも下方に突出し、内側壁部１６０上のパッキン１３０に面接触する押圧突起部１２４とが設けられている。
【００２９】
押圧突起部１２４は、先端部に、パッキン１３０に面接触する先端面を備え、この先端面でパッキン１３０に面接触する。つまり、この押圧突起部１２４は、蓋体１２０に、内側壁部１６０の上面に対して上方で対向する部分から下方に突出して設けられ、パッキン１３０において内側壁部１６０の上面上に配置された部位を押圧する。
【００３０】
これにより、パッキン１３０は変形して、内側壁部１６０及び押圧突起部１２４のそれぞれに当接して、内側壁部１６０及び押圧突起部１２４の間を水密状態に保つことができ、ケース本体１１０及び蓋体１２０に防水処理が施される。
【００３１】
この蓋体１２０は、固定脚部１３２を溝部１７０に挿入して、内側壁部１６０の上面１６４にパッキン本体１３４を配置することで、周壁部１４０にパッキン１３０を配置した状態で、上方から取り付けられている。言い換えれば、パッキン１３０は、固定脚部１３４を溝部１７０に挿入された状態で内側壁部１６０と蓋体１２０との間に介設されている。
【００３２】
本実施の形態におけるデジタルホルタ心電計１０の筐体１００では、爪部を係合孔に係合することによって、外側壁部１５０の上面１５４は蓋体１２０の縁端部１２２に面接触されるとともに、内側壁部１６０の上面１６４に配置されたパッキン本体１３４の部位は、蓋体１２０の押圧突起部１２４により押圧される。
【００３３】
周壁部１４０の上部に配置されるパッキン１３０は、内側の側辺部（以下、「張り出し辺部」という）を上面１６４から内側に伸び出された（オーバーハングした）状態で配置されるともに、溝部１７０内において固定脚部１３２と、内側壁部１６０の外面１６６との間に隙間Ｅが形成されている。
【００３４】
すなわち、筐体１００では、ケース本体１１０と蓋体１２０との間に介設され、両者間で押しつぶされることによって両者間の防水処理を行うパッキン１３０を、周壁部１４０の上面部分の内側に、一部（張り出し辺部１３６）を、周壁部１４０の内壁面より内側に突出させて自由端とした状態で配置している。
【００３５】
これにより、上面１６４上において、蓋体１２０の押圧突起部１２４により押圧されるパッキン本体１３４における部位の体積は、上面１６４の内側辺から延び出た張り出し辺部１３６の変形と、隙間Ｅへの変形によって逃がすことができる。
【００３６】
さらに、筐体１００では、内側壁部１６０上に配置されたパッキン１３０の上面は、外側壁部１５０の上面１５４よりも低く、外側壁部１５０側の側辺部の上部には、上部間隙部Ｆが形成されている。これにより、パッキン１３０が蓋体１２０の押圧突起部１２４により押圧された際に、間隙部Ｆ内へ変形させて、押圧による体積を逃がすことができる。
【００３７】
したがって、ケース本体１１０と蓋体１２０との間に隙間が発生することなく、筐体自在の歪みを回避することができる。
【００３８】
図３は、ケース本体にパッキンを介して蓋体を取り付けて、筐体を組み立てる方法を示す図である。
【００３９】
図３に示すように、ケース本体１１０の周壁部１４０において、外側壁部１５０の内側に、枠状のパッキン１３０を配置する。
【００４０】
このとき、周壁部１４０の上部における溝部１７０にパッキン１３０の固定脚部１３２を挿入することによって位置決めされ、パッキン本体１３４を内側壁部１６０の上面１６４に、内側の側辺部（張り出し辺部１３６）を収容部内に突出させた状態で載置する。溝部１７０の内側の側面１６６は、傾斜面であるため、当該側面１６６に沿って固定脚部１３２を溝部１７０内に容易に挿入することができる。
【００４１】
これにより、ケース本体１１０にパッキン１３０を配設する際に、パッキン１３０の固定脚部１３２を円滑に溝部１７０内に案内して、パッキン１３０の位置決めを容易に行うことができ、組立作業性の向上を図ることができる。
【００４２】
次いで、蓋体１２０をケース本体１１０に収容部を覆うように取り付ける。
【００４３】
この蓋体１２０の取り付けの際には、蓋体１２０の縁部下面において、まず内側で突出する押圧突起部１２４が外側壁部１５０の上面１５４よりも低い高さの内側壁部１６０の上面１６４に載置されたパッキン本体１３４の上面に当接する。
【００４４】
パッキン１３０は、周壁部１４０上にて、外側壁部１５０よりも内側で、且つ、低い位置に配置され、当該パッキン１３０を上方から押圧する押圧突起部１２４は、蓋体１２０の下面から最も突出している部位となっている。
【００４５】
このため、ケース本体１１０に蓋体１２０を上方から被せる際に、押圧突起部１２４を外側壁部１５０の内面にガイドさせつつ、パッキン１３０上に位置させることができる。よって、蓋体１２０をケース本体１１０に被せる際に、蓋体１２０の外縁が当接することによってパッキン１３０がずれることなく、容易に蓋体１２０を取り付けることができる。
【００４６】
そして、蓋体１２０の爪部をケース本体１１０の係合孔に係止させることによって、押圧突起部１２４でパッキン１３０を下方に押圧して、内側壁部１６０の上面１６４に密着させる。これにより、押圧突起部１２４と内側壁部１６０の上面１６４とは、パッキン１３０によって水密状態が保持された状態で固定される。
【００４７】
また、この構成における防水処理では、パッキン本体１３４において、内側壁部１６０の上面１６４上に載置される部位にのみ蓋体１２０の押圧突起部１２４からの押圧力が加わる。よって、筐体１００では、周壁部１４０において、内側壁部１６０の上面１６４にのみ押圧力を加えることで、ケース本体１１０と蓋体１２０とを容易に密閉することができる。
【００４８】
このように本実施の形態によれば、内部に電子部品が収容されるケース本体１１０の周壁部１４０の上部に、周壁部１４０内部の収容部を覆う蓋体１２０を、当該収容部を囲む枠状のパッキン１３０を介して被せて固定してなる医療用電子機器の筐体であって、周壁部１４０の上部は、周壁部１４０の外壁面と隣り合う上面を有する外側壁部１５０と、外側壁部１５０よりも収容部側に配置され、周壁部１４０の内壁面と隣り合うとともに、外側壁部１５０の上面よりも高さの低い上面を有する内側壁部１６０とを備え、パッキン１３０は、内側壁部１６０の上面上に、内側の側辺部を収容部側に延び出した状態で収容部を囲むように配設され、蓋体１２０は、外側壁部１５０の上面に面接触するとともに、内側壁部１６０の上面１６４上のパッキン１３０のパッキン本体１３４を押圧してケース本体１１０に固定される。よって、防水性を確保しつつ、容易に組み立てることができると共に、ケース本体に蓋体を被せた際にケース本体の歪みを防止できる。
【００４９】
なお、本実施の形態では、蓋体１２０とケース本体１１０との間におけるパッキン１３０の所定位置への位置決めを行うために、固定脚部１３２を、周壁部１４０の上部に形成した溝部１７０に挿入する構成としたが、これに限らない。例えば、蓋体１２０に溝部を設けて、この溝部に挿入される脚部をパッキン１３０の上面側に形成してもよい。また、パッキン１３０の位置決めとして、当該パッキン１３０は固定脚部１３２を有する構成としたが、周壁部１４０と蓋体１２０との間の所定位置に容易に正確に配置して、周壁部１４０と蓋体１２０とを固定できれば、固定脚部を設けなくてもよい。また、周壁部１４０、蓋体１２０、パッキン１３０は、筐体１００の備える開口部形状に対応してどのような形状としてもよい。
【００５０】
以上、本発明の実施の形態について説明した。なお、以上の説明は本発明の好適な実施の形態の例証であり、本発明の範囲はこれに限定されない。つまり、上記各装置の構成および各装置の使用時の動作についての説明は一例であり、本発明の範囲においてこれらの例に対する様々な変更や追加が可能であることは明らかである。
【図面の簡単な説明】
【００５１】
【図１】本発明の一実施の形態に係る医療用電子機器の筐体を説明するための医療用電子機器の筐体を示す分解斜視図
【図２】医療用電子機器の筐体においてケース本体、パッキン及び蓋体との関係を示すための断面図
【図３】ケース本体にパッキンを介して蓋体を取り付けて、筐体を組み立てる方法を示す図
【符号の説明】
【００５２】
１００  筐体
１１０  ケース本体
１１２  収容部
１２０  蓋体
１２２  縁端部
１２４  押圧突起部
１２６  蓋体の周縁部
１３０  パッキン
１３２  固定脚部
１３４  パッキン本体
１４０  周壁部
１５０  外側壁部
１５２  外面
１５４  上面
１６０  内側壁部
１６２  内壁面
１６４  上面
１７０  溝部
【図１】
0004937039.tif 000002
【図２】
0004937039.tif 000003
【図３】
0004937039.tif 000004